(57)【特許請求の範囲】
【請求項１】
化粧品組成物を睫毛又は眉毛に塗布するためのアプリケータであって、前記アプリケータは、
・長手軸に沿って延在する芯材（１０）と、
・前記芯材から延在する歯（１８）であって、前記芯材の前記長手軸（Ｘ）に沿って５列以上の長手方向列（１７）に配置される歯と
を含む成形アプリケータ部材（８）を含み、
前記歯（１８）は、前記アプリケータ部材の包絡面（Ｅ）を画定する自由端（１８ａ）を呈し、前記包絡面は、その長さに沿った少なくとも１点において、７ｍｍ〜１２ｍｍの範囲にある最大横断寸法（ｌ）と３．５ｍｍ〜７ｍｍの範囲にある厚さ（ｅ）とを有する扁平な形状の横断面を呈し、歯の列は、芯材の長手軸に沿った共通の軸方向位置について列毎に歯の長さのみが異なる、アプリケータ。
【請求項２】
横断面に含まれる全ての列の歯が同じ厚さ（ｄ１）であり、及び／又は前記包絡面（Ｅ）の共通のセグメントにある２つの列の２個の連続する歯が、それらの間に同一である間隔（ｄ２）を有する、請求項１に記載のアプリケータ。
【請求項３】
前記包絡面の共通の横断面の最大横断寸法（ｌ）の厚さ（ｅ）に対する比ｌ／ｅが、１．３〜４．５の範囲にある、請求項１又は２に記載のアプリケータ。
【請求項４】
前記芯材（１０）が、横断面において、１．５ｍｍ〜６ｍｍの範囲にある最大横断寸法（ｌ）を呈する、請求項１〜３のいずれか一項に記載のアプリケータ。
【請求項５】
前記芯材（１０）が正多角形又は円形の少なくとも１つの横断面を呈する、請求項１〜４のいずれか一項に記載のアプリケータ。
【請求項６】
前記アプリケータ部材の共通の横断面の一部を形成する２つの異なる列の２個の歯が、同じ形状を有する、請求項１〜５のいずれか一項に記載のアプリケータ。
【請求項７】
前記アプリケータ部材の共通の横断面の一部を形成する２つの異なる列の２個の歯が、同じ横断面を有する、請求項１〜６のいずれか一項に記載のアプリケータ。
【請求項８】
前記アプリケータ部材の共通の横断面の一部を形成する２つの異なる列の２個の歯が、同じ材料から成形される、請求項１〜７のいずれか一項に記載のアプリケータ。
【請求項９】
少なくとも５列、より良好には少なくとも６列の歯の列を含む、請求項１〜８のいずれか一項に記載のアプリケータ。
【請求項１０】
所与の横断面において、長い歯と短い歯とを含む、請求項１〜９のいずれか一項に記載のアプリケータ。
【請求項１１】
前記歯が、少なくとも共通の横断面において、又はさらには前記芯材の長さの大部分にわたり、前記芯材の全周に規則的に分配される、請求項１〜１０のいずれか一項に記載のアプリケータ。
【請求項１２】
パッケージング及びアプリケータ装置であって、
・睫毛及び／又は眉毛に塗布される組成物を収容する容器と、
・請求項１〜１１のいずれか一項に記載のアプリケータと
を含む装置。
【請求項１３】
前記アプリケータ部材をしごくためのしごき部材であって、２．５ｍｍ〜６．５ｍｍの範囲にある最大横断寸法を呈するしごき口を含むしごき部材を含む、請求項１２に記載の装置。
【請求項１４】
前記しごき部材が、前記アプリケータ部材の最大横断寸法（ｌ）より小さい最大横断寸法を呈するしごき口を含む、請求項１３に記載の装置。
【請求項１５】
前記アプリケータが格納位置において前記容器に対し所定の位置にあるとき、前記アプリケータ部材が前記容器の内表面から１．５ｍｍ未満の距離だけ後退している、請求項１２〜１４のいずれか一項に記載の装置。
【発明の詳細な説明】
【技術分野】
【０００１】
本発明は、化粧品用、メーキャップ用、又はケア製品用組成物、例えばマスカラを睫毛又は眉毛に塗布するためのアプリケータに関する。
【０００２】
より詳細には、本発明は、長手軸に沿って延在する芯材と、芯材により担持される歯とを備える成形アプリケータ部材を含むアプリケータに関する。
【背景技術】
【０００３】
国際公開第２００９／１５３７６１号パンフレットは、ねじれた芯材に保持されるブリッスルを呈するマスカラブラシに関し、ブラシの最大横断寸法は９ミリメートル（ｍｍ）〜１４ｍｍの範囲にあり、ブラシは横断面において幅が厚さより少なくとも３０％大きい。
【０００４】
国際公開第２００９／０５３９２５号パンフレットでは、アプリケータ部材は長い歯の列と短い歯の列とを含み、長い歯の列と短い歯の列とは、歯間の間隔、一列当たりの歯の数、又はその長さ方向に対して垂直に測った歯の厚さが異なる。
【発明の概要】
【発明が解決しようとする課題】
【０００５】
使用者による睫毛の良好な被覆及び適切な分離を可能にすると同時に、メーキャップの優しく且つ容易な施術を確実にすることが必要とされている。
【０００６】
また、場合により組成物で予め被覆されている睫毛又は眉毛に新規のメーキャップ効果を生み出すこと、睫毛又は眉毛におけるアプリケータ部材の良好な侵入を達成し、例えばそれによってそれらの毛をより良好に梳き、伸ばし、及び分離すること、並びにそれを、アプリケータに十分な量の組成物を装填可能でありながら、且つ用いる手の動きは遂行し易いもので済みながら行うことを可能にするアプリケータの利点がもたらされることも必要とされている。
【課題を解決するための手段】
【０００７】
本発明は、これらの必要性の全て又は一部を満足しようとするものである。
【０００８】
本発明の例示的実施形態は、化粧品用、メーキャップ用、又はケア製品用組成物を睫毛又は眉毛に塗布するためのアプリケータを提供し、このアプリケータは、
・長手軸に沿って延在する芯材と、
・芯材から延在する歯であって、芯材の長手軸に沿って５列以上の長手方向列に配置される歯と
を含む成形アプリケータ部材を含み、
歯は、アプリケータ部材の包絡面を画定する自由端を呈し、この包絡面は、その長さに沿った少なくとも１点において、より良好にはその長さの少なくとも半分にわたり、さらにより良好にはその全長にわたり、７ｍｍ〜１２ｍｍの範囲、より良好には８ｍｍ〜１２ｍｍの範囲、又はさらには９ｍｍ〜１２ｍｍの範囲にある最大横断寸法と、３．５ｍｍ〜７ｍｍの範囲、より良好には４ｍｍ〜６．５ｍｍの範囲にある厚さとを有する扁平な形状の横断面を呈する。
【０００９】
本発明のアプリケータにより、睫毛又は眉毛に多量の組成物を堆積させることが可能となる一方、前記睫毛又は眉毛が満足のいく形で梳かれ、分離されることが確実となる。さらに、得られるメーキャップ効果は必要に応じて再現可能であり得る。
【００１０】
ある横断面に含まれる全ての列の歯は、好ましくは同じ厚さであり、及び／又は包絡面の共通のセグメントにある２つの列の２個の連続する歯は、それらの間に同一である間隔を有する。
【００１１】
用語「芯材の長手軸」は、芯材の横断面の質量中心（重心）を共につなぎ合わせた線を指して用いられる。長手軸は中心軸であってもよく、又はさらには、特に芯材が円形の横断面又は正多角形の全体形状を有する横断面を呈する場合には、芯材の対称軸であってもよい。芯材の長手軸は直線的又は曲線的であってもよく、及び芯材の横断面の一部又はさらには全てについての対称面であってよい平面内にあってもよい。好ましくは、芯材の長手軸は直線的である。
【００１２】
芯材はねじれていなくてもよく、列は芯材の長手軸と平行に、直線的であってもよい。
【００１３】
本発明の意味においては、アプリケータ部材をその長手軸に沿って見たときに、歯が共通の合わせ面を有する場合、及び／又は単に歯の基部において列の軸に対し接線方向にあるだけでなく、歯の基部以外で重なり合う場合、歯は同じ「歯の列」の一部を形成する。単一の列の歯の基部は、接触していたり、又は離間していたりする可能性がある。歯が離間している場合、及びアプリケータ部材を長手軸に対して垂直に見たとき、単一の列の２個の連続する歯の間の軸方向間隔は、前記連続する歯の基部の互いに最も近い端部の間で測られ、例えば０．１ｍｍ〜５ｍｍの範囲にあり得る。
【００１４】
例示的実施形態において、芯材は偶数列又は奇数列の歯の列を担持し得る。アプリケータは少なくとも５列の、より良好には少なくとも６列の歯の列を含み得る。アプリケータは全部で最大２０列を含むことも全部で２０列未満であってもよい。
【００１５】
芯材により担持される歯は、少なくとも３列の歯の二重列、又は少なくとも４列の二重列、又はさらには少なくとも６列の歯の二重列に配置され得る。用語「歯の二重列」は、互いに近接して平行な２つの列を意味する。
【００１６】
歯は、少なくとも所与の横断面において、より良好には芯材の長さの大部分にわたり、さらにより良好には芯材の全長にわたり、芯材の全周に規則正しく分配されてもよい。
【００１７】
歯の長手方向列は、その長手軸Ｘの周りに、芯材の全周に配置され得る。歯は、芯材を横断面で見たとき、４つの四分円の各々において芯材から延在し得る。アプリケータ部材は、芯材の表面で測って少なくとも６０°の歯のない角度空間を有しなくてもよい。これらの列は、芯材の長手軸の周りに規則的に分配され得る。
【００１８】
用語「規則的に分配される」は、歯の長手方向列又は別名二重列として知られる、歯の関連する列の束が、長手軸の周りに規則的な形で配置されること、すなわち芯材の長手軸の周りに、２つの連続する列の間又は２つの連続する二重列の間の角度間隔が実質的に一定であることを意味する。角度間隔は、芯材の表面で、すなわち芯材の長手軸と、芯材の表面における対応する列を構成する歯の接続点との間で測られる。
【００１９】
用語「ある点における包絡面の横断面の最大横断寸法」は、包絡面の長さに沿った当該の点でとった包絡面の横断面の直径上反対側にある２点間の最大距離に対応する寸法ｌを意味する。
【００２０】
用語「厚さｅ」は、芯材の長手軸と垂直な断面で最大横断寸法ｌと垂直な方向に測った包絡面の最大厚さｅを意味する。厚さは横断面内において変化し得る。
【００２１】
包絡面の最大横断寸法はその厚さより少なくとも３ｍｍだけ、又はさらには少なくとも４ｍｍだけ大きくてもよい。
【００２２】
最大横断寸法を測る横断面は、包絡面の長さに沿った点であって、近位端及び／又は遠位端から、アプリケータ部材の目に見える全長の４分の１より大きい距離に位置する点でとることができる。
【００２３】
包絡面の横断面の最大横断寸法ｌの厚さｅに対する比ｌ／ｅは、１．３ｍｍ〜４．５ｍｍの範囲、より良好には１．５ｍｍ〜３．５ｍｍの範囲、さらに良好には１．７ｍｍ〜３．５ｍｍの範囲にあってよい。
【００２４】
例として、アプリケータ部材の包絡面の横断面は、長方形、卵形、長円形、菱形、台形、レンズ形、又は腎臓形である。
【００２５】
アプリケータ部材は２つの対向する主面を呈することができ、それらの間の間隔がアプリケータ部材の包絡面の厚さを画定する。主面は互いに平行であってもよい。主面は横断面及び／又は長手断面において平面状、凹面状、又は外向きに凸面状であってもよい。長手断面において一方が凹面状で、他方が凸面状であってもよい。アプリケータ部材はさらに、例えば横断面において平面状、凹面状、又は外向きに凸面状の、２つの対向する側面を呈することができる。
【００２６】
アプリケータ部材は、アプリケータ部材の近位端及び遠位端に向かって横断面が縮小する包絡面を呈してもよい。包絡面は近位端及び遠位端の近傍で円錐台状であってもよい。
【００２７】
用語「歯」は、個々に睫毛又は眉毛と係合するよう突出する要素を指して用いられ、この用語は、本発明の文脈では「ブリッスル」と同義語である。
【００２８】
共通横断面に含まれるあらゆる列の歯が全て同じであってもよく、又は歯はその長さが異なっても、若しくはその長さのみが異なってもよい。
【００２９】
用語「同一の歯」は、それらの歯がどの歯の列の一部を形成するのであれ、包絡面の所与の横断面にあるあらゆる歯が全て同一であること、すなわち歯が同じ形状、従ってその基部で同じ形状且つ同じ寸法の横断面を有し、且つ同じ材料から作製されることを意味する。
【００３０】
共通の横断面の一部を形成する２つの異なる列の２個の歯が、同じ形状を有してもよい。共通の横断面の一部を形成する２つの異なる列の２個の歯が、同じ横断面、すなわち同じ形状且つ同じ寸法の横断面を有してもよい。共通の横断面の一部を形成する２つの異なる列の２個の歯が、同じ材料から成形されてもよい。
【００３１】
包絡面の共通のセグメントでとった２つの列、より良好には全ての列の２個の連続する歯は、それらの間の軸方向間隔が同一であってもよい。２個の連続する歯の間の間隔は、歯の基部で、芯材の表面において、連続する歯の基部の最も近い端部間を測る。
【００３２】
芯材の長手軸Ｘの周りに、連続する２列、より良好には連続する３列、さらにより良好には連続する４列の歯の列が同一であってもよい。芯材の長手軸Ｘの周りに分配される長手方向列の全てが、好ましくは同一である。用語「同一の列」は、共通の横断面の一部を形成する２つの列の２個の歯が同一であること、包絡面の共通のセグメントでとった２つの列の２個の連続する歯の間の軸方向間隔が同一であること、及び列中の歯の数が同じであることを意味する。
【００３３】
歯の列は、芯材の長手軸に沿った共通の軸方向位置について列毎に歯の長さのみが異なってもよい。
【００３４】
アプリケータは、共通の横断面において、長い歯と短い歯とを含み得る。長い歯の長さと短い歯の長さとの差は、０．２ｍｍより大きくてもよい。扁平な形状の包絡面は、好ましくは長い歯と短い歯とが芯材の周りに適切な形で分配されて存在すること、例えば横断面で長い歯のいくつかの束が芯材の両側にあり、それらの長い歯の束の間に短い歯のいくつかの束があることによりもたらされる。長い歯の束と短い歯の束とはまた、中間的な長さの歯により分離されてもよい。
【００３５】
アプリケータは芯材のある主面に１〜４列の長い歯の列を含み、及び芯材の別の主面に１〜６列の短い歯の列を含み得る。長い歯の列と短い歯の列とは、中間的な長さの歯の列、例えば１〜４列の中間的な長さの歯の列により分離されてもよい。
【００３６】
アプリケータの少なくとも１個の歯の長さは、芯材から測って、２ｍｍ〜８ｍｍの範囲、又はさらには２ｍｍ〜５ｍｍの範囲にあり得る。用語「歯の長さ」は、歯の自由端と、歯を芯材に接続するその基部との間を、歯の長軸に沿って測った距離を指して用いられる。用語「歯の長軸」は、歯の横断面の重心を通る軸を指して用いられる。
【００３７】
少なくとも１個の歯は、歯が芯材に接続する点において芯材の表面に対して垂直な歯の長軸に沿って、芯材から延在してもよい。変形例では長軸は、歯が芯材に接続する点において、芯材の表面に対して９０°と異なる角度を形成してもよい。アプリケータ部材を芯材の長手軸に沿って見たとき、歯の長さ方向が全て広がっていてもよい。
【００３８】
芯材の長手軸の周りに連続する少なくとも２列の歯の列は、同一の又は異なる長さのそれぞれの最長の歯を有し得る。
【００３９】
歯の、例えばアプリケータ部材の少なくとも１つの列の歯の少なくとも５０％、例えば少なくとも７５％、例えば実質的に全ての歯が、芯材から実質的に放射状に延在してもよい。
【００４０】
本発明の例示的実施形態において、アプリケータ部材は、複数のシェルを一体に組み立てることにより形成される鋳型内で成形される。例として、アプリケータ部材は、６個、８個、１０個、又は１２個のシェルを一体に組み立てることにより成形されてもよく、シェルの数は、作製される列の数に応じて選択され得る。
【００４１】
アプリケータ部材の最長の歯は、１ｍｍ〜８ｍｍの範囲、又はさらには２ｍｍ〜６ｍｍの範囲、例えば１．５ｍｍ〜４．５ｍｍの範囲にある長さであってもよい。
【００４２】
少なくとも１つの列の歯の長さは、列内において列の長手軸に沿って、例えば単調な形で変化してもよい。例えば、芯材の長手軸に沿って、少なくとも１つの列内の歯の長さが近位端と第１の横座標との間で増加し、次に第１の横座標と第２の横座標との間で実質的に一定のままで、次に第２の横座標と遠位端との間で減少してもよい。少なくとも１つの列内の歯の長さが２つの極大を有してもよい。
【００４３】
アプリケータ部材の共通の横断面における列毎に、歯の形状、厚さ、長さ、向き、色、及び／又は材料が異なる必要はない。単一の列内で、歯は、その厚さ、長さ、硬さ、向き、その列の隣接する歯との間隔、色、及び／又は形状のうちの少なくとも１つが異なってもよい。
【００４４】
一部の歯、又はさらには全ての歯が、半円形又は半楕円形の横断面を有してもよい。半円形又は半楕円形の形状などの平らな部分を有する形状により、平らな部分が鋳型の合わせ面と一致し、アプリケータ部材の離型が容易となる。
【００４５】
少なくとも１個の歯が、以下の横断面を呈し得る：平らな部分を有する、又は有しない、円形；非円形；扁平；星形、例えば複数の枝を有する十字形；Ｕ字形；Ｈ字形；Ｔ字形；Ｖ字形；中空形状、例えば円形又は正方形；枝分かれを有して形成されるもの、例えば雪片形；例えば三角形、正方形、又は六角形の、角柱形；長円形、特にレンズ形又は砂時計形；多角形、場合により正多角形、特に正方形、長方形、八角形、平行四辺形、菱形；又は卵形。少なくとも１個の歯が、レリーフ状の少なくとも１つの部分を呈してもよく、それにより歯への組成物の付着性が向上し得る。歯の横断面は、形状が変化することなしに、芯材から離れるに従い、例えば歯の長さの半分より多くにわたって減少してもよい。
【００４６】
アプリケータの一部の歯、又はさらには全ての歯が、その基部、すなわち歯が芯材に接続する点で測って、０．２ｍｍ〜１．５ｍｍの範囲、又はさらには０．２５ｍｍ〜１ｍｍの範囲にある厚さを有してもよい。用語「歯の厚さ」は、歯の長軸と垂直な断面における歯の最大横断寸法を指して用いられる。各歯が、その歯の別の部分の厚さより小さい厚さの基部を有してもよい。
【００４７】
歯の厚さは、例えば、所望のメーキャップ効果の種類及び／又は睫毛の性質及び／又は組成物のレオロジーに応じて選択され得る。
【００４８】
歯は任意の形状であってよい。歯は、シリンダ形又はテーパ形、特に円錐台形又は角錐形の形状であってよい。少なくとも１個の歯が、少なくとも一部において、例えば丸い自由端を終端とする円錐台形の外形を有し、従って歯の横断面がその自由端に向かって減少してもよい。
【００４９】
アプリケータは７５〜６００個の歯を含み得る。歯の列内で、歯の数は６〜６０個の範囲、特に１０〜５０個の範囲にあり得る。
【００５０】
少なくとも１つの列の少なくとも２個の歯が、異なる又は同一の長さを呈し得る。長手軸に沿って延在する歯の列が、少なくとも３個の同じ長さの歯を有してもよい。
【００５１】
アプリケータを、その長手軸と垂直に側面から見たとき、少なくとも２個の歯がＶ字形の溝を画定してもよい。
【００５２】
歯の列の少なくとも２個の連続する歯が、特に少なくとも歯の下部において双方とも共通の第１の形状、例えば平面的な形状を備える第１の長手面と、双方とも共通の第２の形状、例えば平面的でない、特に丸い形状を備える第２の長手面とを有してもよい。第１の面は、全てが芯材の周りで同じ方向に向いていてもよく、すなわちそれらの面は、芯材をその長手軸に沿って見たとき、全てが同じ時計回り又は反時計回りの方向に向いていてもよい。
【００５３】
歯の第１の面は、特にそれが平面状のとき、少なくともその列の一部の歯については、芯材の対応する面に実質的に垂直に接続され得る。
【００５４】
少なくとも１個の歯、又はさらには各歯が、その長さ方向に平行な平らな面を呈してもよい。
【００５５】
歯は場合により直線的であってもよく、例えば各々が、直線的である歯の長さ方向に沿って延在してもよく、或いは歯は曲線的で、例えば波状であってもよい。
【００５６】
列の長手軸は芯材の表面にあると考えられるため、芯材の長手軸の周りの、２つの連続する列の２本の長手軸は、角度を芯材の長手軸の周りに測って、好ましくは８０°未満、例えば約６０°、又はさらには５０°未満、例えば約４５°、例えば約３０°の角度だけ角度的に分離される。好ましくは、列の軸は芯材の長手軸と平行である。
【００５７】
芯材をその長手軸に沿って見たとき、芯材をその長手軸を中心に、３６０°を約数で割った整数、例えば３６０°／ｎ（式中ｎは、５以上２０以下の整数である）にわたって回すことにより、ある列から別の列へと、又はある二重列の束から別の束へと移ることが可能である。
【００５８】
歯は、芯材の長手軸の周りに少なくとも５つの異なる方向に延在し得る。
【００５９】
列の少なくとも１個の歯が、少なくとも芯材に接続されるその一部分において、又はさらにはその全長にわたり、歯が接続される芯材の長手面と垂直な第１の方向Ｚ１に沿って延在しても、又は芯材の前記表面の法線と小さい角度、例えば１０°未満、より良好には５°をなして延在してもよい。連続する列のある歯が、少なくとも芯材に接続されるその一部分において、又はさらにはその全長にわたり、芯材をその長手軸に沿って見たとき第１の方向とゼロでない角度αを形成する第２の方向Ｚ２に沿って、芯材の同じ面から延在してもよい。
【００６０】
列の歯の実質的に半分が、第１の方向Ｚ１と平行に延在してもよい。方向Ｚ１と方向Ｚ２との間の角度αは５°〜８０°の範囲にあり得る。
【００６１】
少なくとも１個の歯が、アプリケータ部材を芯材の長手軸と垂直に見たとき、芯材の長手軸の法線とゼロでない角度を形成する長手軸に沿って延在してもよい。従って２個の歯が、アプリケータ部材をその長手軸と垂直な方向に見たとき、異なる値、又はさらには逆の値を有する角度に沿って延在してもよく、及び互いに交差してもよい。２つの隣接する列の全ての歯が互いに交差してもよい。
【００６２】
列の長さは、好ましくは１０ｍｍ〜４５ｍｍの範囲、特に１５ｍｍ〜３５ｍｍの範囲、又はさらには２０ｍｍ〜３０ｍｍの範囲にあり、例えば約２７ｍｍである。
【００６３】
芯材は、横断面において、１．５ｍｍ〜６ｍｍの範囲、又はさらには１．５ｍｍ〜４ｍｍの範囲にある最大横断寸法を呈し得る。
【００６４】
芯材は、３〜２０面の長手面、より良好には５〜８面の長手面を有してもよい。芯材の面は、平面状又は僅かに凹面状若しくは僅かに凸面状であってもよい。
【００６５】
芯材は、円形又は正多角形の形状、例えば、場合により正多角形である多角形、例えば三角形、正方形、五角形、六角形、七角形、又は八角形の形状の少なくとも１つの横断面を呈し得る。この構成では、単に歯の長さ及び芯材の周りでの長い歯と短い歯との配分を選択するだけで、扁平な形状の包絡面を達成することができる。
【００６６】
変形例では、芯材は、長円形、例えば楕円形、卵形、長方形、菱形、台形、レンズ形、又は腎臓形の形状の横断面を呈し得る。この構成では、単に横断面における芯材の形状を選択するだけで、扁平な形状の包絡面を達成することができ、従って、例えば芯材の周りに分配される横断面の歯が全て同じ長さを有し得る。
【００６７】
さらに変形例では、扁平な形状の芯材の横断面と、歯の長さ及び芯材の周りでの長い歯と短い歯との配分の選択との双方により、扁平な形状の包絡面を達成することができる。
【００６８】
芯材は、その長手軸と垂直な横断面が芯材の長手軸に沿って変化する形状である横断面を含んでもよい。例として、芯材が、例えば芯材の歯を保持する部分の長さの少なくとも半分、又は４分の３、又はさらには全てにわたり、芯材の長手軸に沿って場合により一定である形状の横断面を有してもよい。例として、芯材の横断面が幾何学的に同じように変化してもよい。アプリケータ部材の近位端から遠位端まで、例えば芯材の横断面が単調に増加又は減少してもよい。アプリケータ部材の近位端から遠位端まで、芯材の横断面が極値、例えば絶対最小値又は絶対最大値を呈してもよい。
【００６９】
その長手軸に垂直に見たとき、芯材は変化する外形を呈してもよい。特に、芯材は実質的にその長さに沿った途中で極値に達する横方向寸法を呈してもよい。これにより、芯材により高い可撓性又は剛性を付与することができ、特に列の歯が少なくともアプリケータ部材の一部分にわたり同じ長さであるとき、アプリケータ部材に沿って変化する包絡断面を画定することが可能となる。
【００７０】
芯材は、以下のリストから選択される形状の単一ストランドの長手断面を呈し得る：場合により一定である厚さを有する、特に長方形の形状；ラグビーボール形；ピーナッツ形；弾丸形；円錐形；円錐台形；魚の形。芯材は透かし目を有しなくてもよい。
【００７１】
少なくとも１つの横断面の平面において、芯材は、例えばその長手軸である対称軸を有し得る。
【００７２】
芯材及び歯は単一の材料から成形されてもよく、又は変形例では、それらは少なくとも２つの異なる材料から作製されてもよい。例として、芯材及び歯の一部分が第１の材料から作製されてもよく、芯材及び歯の別の部分が、例えば第１の材料より軟質又は硬質の、第２の材料から作製されてもよい。例として、芯材は、エラストマー性であってもよい１つ又は複数の熱可塑性材料から形成される。芯材及び／又は歯は、エラストマー性材料、熱可塑性材料、熱硬化性材料から、金属から、又はセラミックから作製されてもよい。本発明の例示的実施形態において、歯は芯材と共に成形又はオーバーモールディングによって作製される。例として、歯は「プロトルージョン」により作製されてもよく、この技法では材料が芯材の少なくとも一部分から注入され、それにより歯の形成が可能となる。
【００７３】
芯材は、歯を保持する管状本体を含むことができ、この本体は、ステムに装着される、又は前記ステムの一部を形成するハブに取り付けられる。ハブは金属製又はプラスチック材料製であってもよい。管状本体はハブに締結されるように構成されてもよく、又はハブに対して回転自在若しくは並進移動自在であってもよい。
【００７４】
変形例では、芯材のうち歯を支持する部分は中実である。
【００７５】
アプリケータは、アプリケータ部材を担持する第１の端部と、キー締め手段を含む締結手段によってハンドルに締結される第２の端部とを有するステムを含んでもよい。ハンドルは、ハンドルに対するアプリケータ部材の向きを指示するマーカーを含んでもよい。例として、マーカーは英数字記号、ロゴ、色を含んでもよく、又はさらには、ハンドルの非対称な形状によりもたらされてもよい。ハンドルに対するアプリケータ部材の向きが特徴付けられることによってアプリケータが使い易くなり、睫毛を主面の一つの歯又は側面の一つの歯と接触させることが可能となる。
【００７６】
ステムは弾性変形可能な遠位部分を含み得る。例として遠位部分はエンドピースによって形成され、これはより剛性の高い材料で作製され得るステムの残りの部分に取り付けられる。エンドピースは１つ又は複数の環状の溝を含んでもよく、それによりエンドピースにより高い可撓性が付与される。
【００７７】
アプリケータ部材は、例えばスナップ締結、接着剤、ヒートシール、クリンピング、スタンピング、圧力嵌め、冷温又は熱により、例えばステムのハウジングに装着することによってステムに接続されてもよい。変形例では、ステムが芯材に提供されるハウジングに収容されてもよい。ステム及びアプリケータ部材はまた、単一部品として、場合により同じ熱可塑性材料から成形されてもよい。
【００７８】
歯は、芯材が接続されるアプリケータのステムの作製に使用される材料より剛性が高い又は剛性が低い材料から作製されてもよい。
【００７９】
アプリケータ部材は装着用エンドピースを含んでもよく、これは芯材と一体に成形され、且つ適切な場合には、アプリケータの可撓性及び塗布における自在性の向上を可能にする１つ又は複数のくびれた部分を含み得る。
【００８０】
芯材の最大横断寸法は、ステムの最大横断寸法より小さくても、それより大きくても、又はそれと等しくてもよい。
【００８１】
アプリケータ部材の目に見える長さ、すなわちステムから突出する、且つ芯材の長手軸に沿って測ったアプリケータ部材の長さは、例えば２０ｍｍ〜３５ｍｍの範囲にあり得る。
【００８２】
芯材は、その長さに沿った少なくとも１点において、芯材が締結されるステムの長手軸と角度を形成する長手軸に沿って延在してもよい。アプリケータ部材はステムに接続するところで屈曲してもよい。
【００８３】
適切な場合には、包絡面は、芯材の長手軸とゼロでない角度を形成する長手軸に沿って延在してもよい。包絡面の長手軸は、場合により直線的であってもよい。
【００８４】
包絡面は、アプリケータ部材の長さの少なくとも一部分にわたり、特に芯材の歯を担持する部分の長さの半分より多くにわたり、実質的に一定である最大横断寸法であってもよい。
【００８５】
包絡面はまた、アプリケータ部材の長さの全て又は一部にわたり変化する横断面を呈してもよい。例として、アプリケータ部材は１つ又は複数の極値、例えば少なくとも１つの極小値と２つの極大値とを有し得る。例として、包絡面は、アプリケータ部材をその長手軸と垂直な方向に側面から見たとき、ピーナッツ形であってもよい。
【００８６】
アプリケータ部材の包絡面はねじれていてもよく、すなわちその遠位端と近位端との間に比較的小さくてよい角度オフセットを呈し得る。用語「角度オフセット」は、横断面の長軸が前記端部の間で旋回する角度を意味する。コルク栓抜き状の部分の遠位端と近位端との間の角度オフセットは、２０°〜８０°の範囲にあってもよく、より良好には３５°未満であってもよく、さらにより良好には２５°〜３５°の範囲にあってもよく、又はさらには約３０°に等しくてもよい。
【００８７】
コルク栓抜き構成のアプリケータ部材は、成形に使用する鋳型の形状により実現されてもよく、又は変形例では芯材を離型する間に、特に材料がまだ熱い間に、前記芯材にねじりを加えることによって変形させてもよい。
【００８８】
角度オフセットは、らせん状の列の端の歯の長さ方向の間で測ることができる。
【００８９】
本発明はまた、
・睫毛及び／又は眉毛に塗布される組成物を収容する容器と、
・上記に定義するとおりのアプリケータと
を含むパッケージング及びアプリケータ装置も提供する。
【００９０】
この装置は、アプリケータ部材が容器から取り出される間にそれをしごくためのしごき部材を含んでもよく、前記しごき部材は、例えば容器のネックに配置される。しごき部材は任意の好適なタイプの、可撓性又は剛性で、１つ又は２つの段を有するものであってよい。
【００９１】
アプリケータ部材は横断面が扁平なため、その周囲のいずれかにわたってその歯を過剰に圧縮することなくしごき部材を通過することが可能であり、アプリケータ部材はしごき部材を通過するとき比較的小さい抵抗を呈し得る。
【００９２】
このアプリケータ部材により、一様でないしごきを達成することが可能となり、組成物が不均一に装填される領域がもたらされる。
【００９３】
アプリケータ部材の最も長い歯は完全に拭い落とされ得る。最も短い歯は比較的多く装填され得る。
【００９４】
従って、使用者はアプリケータ部材上により多量の利用可能な組成物を有し得るため、メーキャップ中に必要であると分かった場合に組成物を睫毛に局所的に加えることが、アプリケータ部材を容器内に戻す必要なしに可能となる。加えて、使用者は装填されている組成物が少ない歯を利用することができ、これは有利には、睫毛、特に目蓋の端にある短い睫毛を分離するのに好適である。
【００９５】
加えて、ステムを抜き取ることにより生じる吸引力に付随するピストン現象が、アプリケータ部材の形状により空気を取り込むことが可能となるため、限られた効果となり得る。
【００９６】
しごき部材は、２．５ｍｍ〜６．５ｍｍの範囲、より良好には２．５ｍｍ〜５ｍｍの範囲にある最大横断寸法を呈するしごき口を含んでもよい。しごき口は、特に芯材が歯の長さより大きい最大横断寸法を有する場合に、最大６．５ｍｍに達し得る最大横断寸法を呈し得る。
【００９７】
しごき部材は、アプリケータ部材の最大横断寸法ｌより小さい最大横断寸法を呈するしごき口を含んでもよい。
【００９８】
この装置は、アプリケータが格納位置において容器に対して所定の位置にあるとき、アプリケータ部材が容器の内表面から１．５ｍｍ未満、又は１ｍｍ未満、より良好には０．５ｍｍ未満の距離だけ後退するように構成されてもよい。
【００９９】
アプリケータのハンドルは、容器を閉止する閉止キャップとして使用されてもよい。容器及び閉止キャップは、容器を漏れ止め式に閉止するような方法で構成されてもよい。ハンドル及び容器は、例えばねじ込み締結によって互いに協働し得る。
【０１００】
好ましくは、組成物はマスカラ、例えば耐水性マスカラである。
【０１０１】
本発明の他の例示的実施形態はまた、睫毛又は眉毛にメーキャップを施す方法も提供し、前記方法は、上記に定義するとおりのアプリケータを用いて睫毛又は眉毛に組成物を塗布することにあるステップを含む。
【０１０２】
睫毛又は眉毛に対するアプリケータの向きは、その扁平な横断面を考慮して、睫毛又は眉毛をアプリケータ部材の包絡面の大きい主面と接触させるか、又は逆に小さい側面と接触させるような方法で選択され得る。
【０１０３】
本発明は、以下のその非限定的な実施形態の詳細な説明を読み、及び添付の図面を検討することで、より良く理解することができる。
【図面の簡単な説明】
【０１０４】
【図１】部分的に長手断面で、本発明において作製されるパッケージング及びアプリケータ装置の例を示す概略立面図である。
【図２】部分的に長手断面であり、図１のアプリケータを単独で示す。
【図３】装置の図１のアプリケータ部材を単独で示す。
【図４】図３の矢印ＩＶに沿って見たときの図である。
【図５】図４の詳細を示す。
【図５ａ】歯の列の概略的及び部分的平面図である。
【図６ａ−６ｉ】包絡面の形状を示す概略的及び部分的横断面である。
【図７−７ａ】変形実施形態の概略的及び部分的横断面である。
【図８−９】変形実施形態の概略的及び部分的横断面である。
【図１１】アプリケータ部材の変形実施形態を示す概略長手断面である。
【図１２−１２ａ】アプリケータ部材の変形実施形態を示す概略長手断面である。
【図１０ａ−１０ｍ】芯材断面の様々な形状を示す；
【図１０ｎ】２列の歯の列の概略的及び部分的平面図である。
【図１３−１４】本発明の変形アプリケータ部材を示す概略側面図である。
【図１５ａ−１５ｊ】変形包絡面形状を示す概略長手断面である。
【図１６−１７】本発明の変形アプリケータ部材の長手断面である。
【図１８ａ−１８ｃ】本発明の歯の例の概略図である。
【図１９ａ−１９ｄ】しごき部材の変形実施形態を示す。
【図１９ｆ】しごき部材の変形実施形態を示す。
【図１９ｅ】図１９ｄのしごき部材の長手断面である。
【図２０ａ−２０ｃ】ステムの遠位端の３つの変形実施形態を示す。
【図２１】変形実施形態の概略的及び部分的長手断面である。
【発明を実施するための形態】
【０１０５】
図１は、本発明において作製されるパッケージング及びアプリケータ装置１を示し、この装置は、アプリケータ２と、睫毛及び／又は眉毛に塗布される組成物Ｐ、例えばマスカラ又はケア製品を収容する関連容器３とを含む。
【０１０６】
検討中の実施形態では、受け器３はねじ切りされたネック４を含み、及びアプリケータ２は、使用しないときに受け器３を漏れ止め式に閉止するためネック４に締め付けられるように構成された閉止キャップ５を含み、閉止キャップ５はまた、アプリケータ２用のハンドルも構成する。
【０１０７】
アプリケータ２は長手軸Ｙのステム７を含み、このステムはその上端で閉止キャップ５に接続し、及びその下端でアプリケータ部材８に接続する。アプリケータ部材は、歯１８を担持する芯材１０を備える。
【０１０８】
容器３はまた、例えばネック４に挿入されるしごき部材６も含む。
【０１０９】
検討中の実施形態では、任意のタイプのものであってよいしごき部材６は、容器３からアプリケータ２が取り出される間にステム７及びアプリケータ部材８をしごくように構成されるリップを含む。リップは、ステムの直径に適合する直径のしごき口６ａを画定する。
【０１１０】
図示される実施形態において、ステム７は円形の横断面を呈するが、ステム７が他の何らかの断面を呈することは、本発明の範囲を逸脱するものではなく、従ってキャップ５は、必要に応じて、ねじ締結以外によって容器３に締め付けられる可能性がある。しごき部材は、適切な場合には、ステム７の形状及びアプリケータ部材８の形状に適合される。
【０１１１】
好ましくは、及び検討中の実施形態のとおり、ステム７の長手軸Ｙは直線的であり、アプリケータ２が容器３に対して所定の位置にあるとき容器３の長手軸と一致するが、ステム７が非直線的であること、例えば屈曲を形成することは、本発明の範囲を逸脱するものではない。
【０１１２】
適切な場合には、ステム７は、しごき部材６のリップと対向して位置決めされることになる部分に、環状の狭まった部分を含んでもよく、それにより保管中に前記しごき部材が過度の機械的応力を受けることがなくなる。
【０１１３】
アプリケータ部材８はステム７に任意の手段で、特に、圧力嵌めによるか、スナップ締結によるか、接着剤によるか、ヒートシールによるか、又はステム７の端部に提供される対応するハウジングにクリンピングすることにより、締結されてもよい。
【０１１４】
図２に示されるとおり、アプリケータ部材８は、ステム７の対応するハウジングへの締結を、場合により特定の向きで可能にするエンドピース９を含んでもよい。
【０１１５】
変形例では、ステム７は、芯材に提供されるハウジングに挿入されてもよい。また芯材１０がステム７と一体に成形されてもよい。
【０１１６】
図３を参照すると、芯材１０が、直線的又は曲線的であってよい長手軸Ｘに沿って細長い形状であることが見て分かる。
【０１１７】
検討中の実施形態では、芯材１０はその長さの大部分にわたり、多角形の、好ましくは正多角形の形状で、歯１８を担持する長手面１５を画定する側辺を有する横断面を呈し得る。各面１５の幅は、図３に示されるとおり、芯材の長手軸Ｘに沿って変化してもよい。図示されるとおり、長手軸Ｘは中心にあり得る。
【０１１８】
検討中の実施形態では、歯１８は熱可塑性材料を成形することによって芯材１０と一体に作製される。
【０１１９】
アプリケータ部材８の成形には、場合により比較的剛性の高い任意の熱可塑性材料、例えば、スチレン−エチレン−ブチレン−スチレン（ＳＥＢＳ）；シリコーンゴム；ラテックスゴム；良好なスリップ性を備える材料；ブチルゴム；エチレン−プロピレンターポリマーゴム（ＥＰＤＭ）；ニトリルゴム；熱可塑性エラストマー；ポリエステル、ポリアミド、ポリエチレン、又はビニルエラストマー；ポリエチレン（ＰＥ）又はポリプロピレン（ＰＰ）などのポリオレフィン；ポリ塩化ビニル（ＰＶＣ）；エチル酢酸ビニル（ＥＶＡ）；ポリスチレン（ＰＳ）；ＳＥＢＳ；スチレン−イソプレン−スチレン（ＳＩＳ）；ポリエチレンテレフタレート（ＰＥＴ）；ポリオキシメチレン（ＰＯＭ）；ポリウレタン（ＰＵ）；スチレンアクリロニトリル（ＳＡＮ）；ポリアミド（ＰＡ）；又はポリメタクリル酸メチル（ＰＭＭＡ）を使用することが可能である。また、セラミック、例えばアルミナベースのセラミック、樹脂、例えば尿素ホルムアルデヒド系樹脂を使用することも可能であり、材料にはグラファイトが充填され得る。特に、商標名Ｔｅｆｌｏｎ（登録商標）、Ｈｙｔｒｅｌ（登録商標）、Ｃａｒｉｆｌｅｘ（登録商標）、Ａｌｉｘｉｎｅ（登録商標）、Ｓａｎｔｏｐｒｅｎｅ（登録商標）、Ｐｅｂａｘ（登録商標）、Ｐｏｌｌｏｂａｓ（登録商標）として公知の材料を使用することが可能であるが、このリストは限定的なものではない。
【０１２０】
適切な場合には、歯と芯材とは異なる材料から作製されてもよく、歯は、例えば芯材の開口部を介して成形される。
【０１２１】
歯は、芯材の材料より軟質の、又は変形例では芯材の材料より硬質の材料から作製されてもよい。
【０１２２】
歯１８は、図４で見て分かるとおり、芯材の長手軸の周りに規則的に分配される長手方向列１７に配置される。
【０１２３】
歯の自由端１８ａは、図４で見て分かるとおり、包絡面Ｅを画定する。包絡面Ｅは、８ｍｍ〜１２ｍｍの範囲、又はさらには９ｍｍ〜１２ｍｍの範囲にある最大横断寸法ｌと、同じ横断面で最大横断寸法ｌと垂直に測って３．５ｍｍ〜７ｍｍの範囲、又はさらには４ｍｍ〜６．５ｍｍの範囲にある最大厚さｅとを有する扁平な横断面を呈する。当然ながら、厚さは共通の断面において変化し得る。厚さｅは最大横断寸法ｌと垂直に測って最大の厚さである。
【０１２４】
例えば：
【０１２５】
【表１】
0005878923.tif 000002
【０１２６】
好ましい例示的実施形態では、ｅ＝５ｍｍ、ｌ＝９ｍｍ又は１０ｍｍ、ｄ＝４．１５ｍｍである。
【０１２７】
上記の表に示す値は限定的なものではない。これらの寸法によってアプリケータはコーミングする間に睫毛と大きい接触面積を持つことが可能となり、アプリケータが特に良好に機能するものとなる。
【０１２８】
図１〜図４に示される実施形態において、包絡面の横断面の扁平な形状は、長い歯１８ｂと短い歯１８ｃとを存在させることにより得られ、長い歯１８ｂは２つの直径上反対側にある束として芯材の両側に配置され、及び短い歯１８ｃもまた、長い歯１８ｂの２つの束の間に配置された、２つの直径上反対側にある束として芯材の両側に配置される。
【０１２９】
このように、短い歯１８ｃの端部１８ａが包絡面の主面９０を画定し、一方、長い歯１８ｂの自由端１８ａが包絡面の側面９２を画定する。
【０１３０】
加えて、共通の横断面における歯１８ｂ及び１８ｃは、その長さが異なることを除いては、全てが同一である。より正確には、これらの歯は好ましくは共通の形状、同じ形状及び同じサイズの共通の横断面を有し、且つ共通の材料から作製される。換言すれば、図５ａ及び図１０ｎで見て分かるとおり、歯の厚さｄ１は同じであり得る。さらに、ある列の２個の連続する歯は、好ましくは、芯材の長手軸Ｘに沿って包絡面の共通のセグメントに位置する別の列の２個の連続する歯と同一の間隔ｄ２だけ離間される。
【０１３１】
図示されるとおり、ハンドルは好ましくは、ハンドルに対するアプリケータ部材の向きが分かるようにするためのマーカー２０を含み、このマーカーにより、使用者は睫毛又は眉毛に対する主面９０又は側面９２の位置を特定することが可能となる。
【０１３２】
図３及び図４の実施形態において、芯材１０は六角形の横断面を呈するが、本発明はいかなる特定の形状の断面を有する芯材にも限定されるものではない。
【０１３３】
歯１８の長さは、図３で見て分かるとおり、芯材１０の遠位端１２に向かって減少してもよく、それにより容器３に係合し易くなる。歯１８の長さはまた、図３に示されるとおり、ステム７に向かって減少してもよく、それにより容器からアプリケータ２を取り出す間にアプリケータ部材８をしごき部材６に通過させ易くなる。
【０１３４】
歯１８は様々な形状を呈し得る。例えば、図示されるとおり、各歯１８が平面的な形状の第１の長手面４０と、丸い形状の、特に半錐形の第２の長手面４１とを含んでもよく、本発明は特定の形状の歯に限定されるものではない。
【０１３５】
図５に示されるとおり、芯材の各面１５が、芯材１０の対応する面１５に、その法線に対し角度αＺ１を形成して接続される第１の歯の列１７ａと、面１５に斜めに、前記法線に対し角度αＺ２を形成して接続される第２の歯の列１７ｂとを担持する。第１の列１７ａの歯１８は面１５と実質的に垂直な方向Ｚ１に沿って延在し、角度αＺ１は比較的小さく、例えば１０°未満、又はさらには５°未満である。列１７ｂの歯１８もまた検討中の実施形態では直線的であり、方向Ｚ１と角度αをなす方向Ｚ２に沿って延在する。例として、角度αは２０°〜８０°の範囲にある。各列１７ａ及び１７ｂの歯１８は、分離面Ｓにより分離されてもよく、この表面Ｓは例えば角度αを二等分する平面である。換言すれば、列１７ａ及び列１７ｂは、図５ａに示されるとおり、分離面Ｓの両側に交互に配置される歯を含み、列の長手軸に沿って列１７ｂの歯が列１７ａの歯の後に続く二重列１７を構成し得る。
【０１３６】
変形例では、図５ｂに示されるとおり、列は一つで、共通の列１７の歯１８が一直線上に並んでもよい。
【０１３７】
図１〜図５に示される実施形態において、包絡面Ｅの横断面の形状は長円形である。
【０１３８】
当然ながら、形状が異なること、例えば図６ａに示されるとおりの卵形、図６ｂに示されるとおりの長方形、図６ｃに示されるとおりの菱形、図６ｄに示されるとおりの台形、図６ｅに示されるとおりのレンズ形、図６ｆに示されるとおりの腎臓形、又はさらには図６ｇに示されるとおりの２つの平面状の主面９０と２つの三角形の側面９２とを有するものであることは、本発明の範囲を逸脱するものではない。
【０１３９】
変形例では、主面９０が、図６ｈに示されるとおり外向きに凹面状であってもよい。変形例では、側面９２が、図６ｉに示されるとおり外向きに凸面状であってもよい。同じことが、例えば外向きに凸面状であってもよい主面９０について適用される。
【０１４０】
包絡面Ｅの扁平な形状は歯の長さを用いて実現することができ、芯材は扁平でない形状を呈する。例として、図７は、扁平な形状の横断面の包絡面Ｅを画定する長い歯１８ｂと短い歯１８ｃとを含む円形の横断面の芯材を示す。
【０１４１】
図７に示される実施形態において、歯は、芯材の長手軸Ｘの周りに規則的に分配される歯の二重列に分配される。
【０１４２】
さらに、長い歯１８ｂは芯材の両側で同じ長さであるが、これがそれ以外であること、及び長い歯１８ｂが、芯材のどちら側に接続されるかによって異なる長さであることは、本発明の範囲を逸脱するものではない。
【０１４３】
芯材の横断面は異なる形状、例えば図７ａ、図８、及び図９に示されるとおり長円形であってもよい。
【０１４４】
芯材の横断面は、図７ａに示されるとおり、包絡面の横断面の主軸と同じ向きの主軸の扁平であってもよく、歯は芯材の最大横断寸法より短い長さである。
【０１４５】
図８の実施形態では、長い歯が芯材の幅の狭い側に位置し、短い歯１８ｃが芯材の幅の広い側に位置する。この構成では、芯材の横断面の扁平な形状それ自体によるのと、芯材に対する長い歯及び短い歯の配置との双方によって包絡面の扁平な形状が実現される。
【０１４６】
当然ながら、他の構成を想定することができる。例として、図９は、包絡面の横断面が芯材の横断面の扁平な方向と垂直な方向に扁平な実施形態を示す。包絡面のこの扁平な形状を実現するには、長い歯１８ｂが芯材の幅の広い面に配置され、一方、短い歯１８ｃが芯材の幅の狭い面に配置される。
【０１４７】
この実施形態では、芯材の一方の側に配置される長い歯１８ｂが、芯材の他方の側に配置される長い歯１８ｂより長い。当然ながら、これは他の形であってもよく、芯材の両側に配置される長い歯１８ｂが同じ長さであってもよい。
【０１４８】
加えて、歯は放射状で、それらの長軸が芯材の長手軸を通ってもよく、又は歯は、図９に示されるとおり非放射状であってもよい。
【０１４９】
さらに、上記に記載される実施形態の全てにおいて、長い歯１８ｂと短い歯１８ｃとが、長い歯の最も長い長さと短い歯の最も短い長さの間にある中間的な長さの歯により分離されてもよい。
【０１５０】
当然ながら、芯材の横断面は、図１０ａ〜図１０ｍに示されるとおりの他の何らかの形状であってもよい。
【０１５１】
芯材１０は、多角形、例えば図１０ａに示されるとおりの長方形；図１０ｂに示されるとおりの三角形；図１０ｃに示されるとおりの正方形；図１０ｄに示されるとおりの五角形；七角形；又は図１０ｅに示されるとおりの八角形である横断面を有し得る。
【０１５２】
芯材は、図１０ｆに示されるとおりの半円形；図１０ｇに示されるとおりの菱形；図１０ｈに示されるとおりの、異なるサイズの隣接する２つの三角形から形成されるもの；図１０ｉに示されるとおりの溝を有する三角形；図１０ｊに示されるとおりの十字形；図１０ｋに示されるとおりの三日月形；図１０ｌに示されるとおりの砂時計形；又は図１０ｍに示されるとおりの半砂時計形である横断面を有してもよい。
【０１５３】
図１０ｂ、図１０ｈ、及び図１０ｉに示される実施形態では、歯は全て互いに平行である。当然ながら、歯が他の何らかの形で配置されているとしても、本発明の範囲を逸脱するものではない。
【０１５４】
列の歯がどのようなサイズであるにしろ、芯材の長手軸Ｘの周りの２つの連続する列は、図１０ｎに示されるとおり同一であってもよい。しかしながら、単一の列の歯は、例えばその形状、その厚さ、又はその材料が変化し得る。この変形例は、第一に円形の形状の歯、第二に三角形の形状の歯により概略的に図示される。
【０１５５】
歯がどのような方法で植え込まれるにしろ、少なくとも１個の歯は、図１〜図５の実施形態に示されるとおり半円形の横断面を有してもよい。変形例では、断面は、円形；又は三角形；又はさらには菱形；異なるサイズの隣接する２つの三角形から形成されるもの；砂時計形；又は半砂時計形；又は溝を有する三角形；十字形；正方形；溝を有する半円形であってもよい。歯は、好ましくは円形以外の横断面である。歯の横断面を非円形とすることは、歯の上又は連続する歯の間における組成物の保持に有利であり得る。
【０１５６】
二重列を形成する列の歯は、互いに平行であってもよい。変形例では、芯材をその長手軸に沿って見たときに歯の長さ方向が広がっていて、歯がＶ字形を形成してもよい。
【０１５７】
断面では、芯材を含む長手断面において歯が芯材に対して傾斜し、例として図１１に示されるとおり、芯材の上側で互いに交差してもよい。
【０１５８】
歯が芯材の長手軸と協働して、芯材の長手軸Ｘに沿って増加し、次に減少する角度を形成して、従って歯が、図１２に示されるとおり、アプリケータ部材を芯材の長手軸と垂直な方向に見たとき扇形の構成で配置されてもよい。
【０１５９】
芯材の両側に配置される歯が、図１２ａに示されるとおり異なる長さで、従って芯材が包絡面Ｅに対して偏心していてもよい。
【０１６０】
歯１８はその基部に狭まった部分を含んでもよく、それにより塗布中に歯に可撓性が付与され、且つ組成物の供給部を形成することが可能となる。
【０１６１】
歯１８は非直線的な長軸であってもよい。
【０１６２】
変形実施形態では、芯材１０の長手面１５は図１３に示されるとおりねじれている。かかる形状を作製するには、芯材１０が成形中にエンドピース９を回すことによって変形されてもよく、又は変形例では、芯材１０は鋳型において変形されてもよい。
【０１６３】
芯材１０の長手軸Ｘはステム７の長手軸Ｙと一致してもよいが、これがそれ以外であることは、本発明の範囲を逸脱するものではない。例として、図１４は、芯材１０の長手軸Ｘがステムの長手軸Ｙと角度β１を形成する変形実施形態を示す。例として、かかる構成によりアプリケータのエルゴノミクスが向上し得る。
【０１６４】
アプリケータは直線的でない長手軸Ｘに沿って延在してもよい。図１５ａは、芯材が曲線的な長手軸Ｘに沿って延在する変形実施形態を示す。図１５ａのように長手断面で見たとき、包絡面Ｅは、軸Ｘの片側で、実質的に軸Ｘと同じ方向に凸状の第１のプロファイル５４を呈し、及び軸Ｘの反対側で、軸Ｘと同じ方向に凹状の第２のプロファイル５５を呈してもよい。
【０１６５】
アプリケータの包絡面Ｅの遠位端は、図１５ａに示されるとおり、アプリケータの長手軸Ｙに対して偏心していてもよく、又は逆に、前記軸上にあってもよい。
【０１６６】
包絡面は、円形対称でない断面を有するシリンダ形であっても、又は１つの極大若しくは２つの極大を通る非シリンダ形であってもよい。
【０１６７】
図１５ｂに示される変形例では、包絡面Ｅは２つの逆の長手方向プロファイル５４及び５５を呈し、そのうちプロファイル５４は直線的である。図１５ｉは、図１５ｂのアプリケータを示す側面図である。
【０１６８】
変形例では、包絡面Ｅは、図１５ｃに示されるとおり、２つの極大と１つの極小とを通る横断面、又は図１５ｄに示されるとおり、１つの極大を通る横断面を呈してもよい。図１５ｊは、図１５ｄのアプリケータを示す側面図である。
【０１６９】
長手断面において、方向Ｆと垂直な平面で見ると、このように包絡面はボール形；ピーナッツ形；弾丸形；又は円錐、半円錐、又は円錐台形であってもよく；各端部に１つ又は２つの斜角を含んでもよく；又は魚の形であってもよい。
【０１７０】
図１５ｅに示す別の変形例において、包絡面Ｅは、芯材１０の長手軸Ｘと角度γ２を形成する長手軸Ｗに略沿って延在する。
【０１７１】
図１５ｆの変形例は、包絡面Ｅの形状が極小を通る横断面を呈する点で図１５ｅの変形例と異なる。
【０１７２】
芯材１０の長手軸Ｘは、図１５ｇに示されるとおり直線的であってもよく、且つステム７の長手軸Ｙと角度を形成してもよく、包絡面Ｅは、例えば、一定でない、例えば極小を通る横断面を有する。
【０１７３】
変形例では、芯材１０の長手軸Ｘは、図１５ｈに示されるとおり曲線的であって、変曲点及び２つの逆の曲率を呈してもよい。
【０１７４】
図１６及び図１７に示される変形実施形態において、芯材１０は、例えば金属製又はプラスチック材料製の支持材６０が係合される凹部を含む。芯材１０は支持材６０に締結されるように構成されてもよく、又は支持材６０に対して回転自在若しくは並進移動自在であってもよい。例として、芯材１０はまた支持材６０上に成形されてもよい。図１６では、芯材は支持材６０を取り囲み、一方図１７では、支持材６０は芯材を越えて延在し、幅広のヘッド６１を呈する。
【０１７５】
少なくとも１つの列の歯が異なる長さを呈し、例えば列の端にある歯の間で極値を通ってもよい。
【０１７６】
列１７の歯１８の少なくとも１個が滑らかでない表面状態を呈し、例えば、成形の結果としての隆起、又は例えばプラスチック材料中に充填剤が存在することに関連する粗さを有してもよい。
【０１７７】
アプリケータ部材は、磁性粒子を含むプラスチック材料で作製されてもよい。磁化可能であり得る、及び／又は磁化され得る、かかる粒子によって生じる磁界が、組成物中に存在する磁性繊維又は色素と相互作用し得る。
【０１７８】
アプリケータ部材はフロック加工で作製されてもよく、前記フロック加工は、例えば歯のみにわたって延在しても、又は芯材のみにわたって延在してもよい。
【０１７９】
歯はその自由端に、レリーフ状の部分、又は特定の形状の部分、例えば図１８ａ、図１８ｂ、及び図１８ｃにそれぞれ示されるとおりの二又部、鉤状部、又はビード部を呈してもよい。例として、鉤状部は芯材の長手軸Ｘに対して横方向に、平行に、又は斜めに延在し得る。ビード部を得るには、例えば歯の端部を溶かすような方法でアプリケータ部材を加熱することが可能である。二又部又は鉤状部を得るには、アプリケータ部材を例えば研削によって機械的に処理し、そのようにして歯の端部を研磨することが可能である。
【０１８０】
しごき部材はエラストマーから作製されてもよい。
【０１８１】
しごき部材は、図１９ａに示されるとおり円形の形状のしごき口６ａを含んでもよく、及び図１９ｂ及び図１９ｃに示されるとおりスロット６ｂを有してもよい。図１９ｂでは、スロットは放射状であり、図１９ｃでは、スロットはしごき口に対して接線方向である。
【０１８２】
例として、しごき部材６のしごき口６ａの直径ｄは３ｍｍ〜５．５ｍｍ、例えば約４．５ｍｍ又は５ｍｍの範囲にあってもよい。様々な値のｌ及びｅに対する値の例を、上記の表Ｉに提供する。
【０１８３】
しごき部材６は場合により、図１９ｄ及び図１９ｅに示されるとおり、波打ち部６ｃを含んでもよく、アプリケータ部材がしごき口を通過するときにしごき口をより容易に広げることが可能となる。図１９ｄは、図１９ｅの矢印ＶＩに沿って見たときのしごき口の図である。
【０１８４】
従ってしごき口は、図１９ｅに示されるとおり、しごき口６ａを画定する内側自由縁を有する波状のしごきリップ９により画定されてもよい。しごき部材６は、例えば３〜１２の範囲にある数の波打ち部６ｃを含んでもよい。しごきリップ９は、容器の長手軸と角度ｉを形成する母線Ｇを有する、容器の底に向かって収束する錐体に略沿って延在してもよい。アプリケータ部材がしごき口を通過する間、しごき口の直径は、しごき部材の過剰な変形なしに、波打ち部が展開することにより、例えば４ｍｍから５．５ｍｍまで大きくなる。
【０１８５】
変形例では、しごきリップ９は軸Ｘと垂直な中間平面に略沿って延在してもよく、又はさらには容器の出口に向かって収束する錐体に略沿って延在してもよい。
【０１８６】
さらに変形例では、しごき口は、図１９ｆに示されるとおり長円形であってもよい。
【０１８７】
しごき部材は他の何らかの方法で作製されてもよく、例えばスロットが形成されてもよい発泡体ブロックを含み得る。
【０１８８】
しごき部材はまた、適切な場合には、調整可能であってもよい。
【０１８９】
しごき部材は、例えば、米国特許出願公開第２００５／００２８８３４号明細書、米国特許出願公開第２００５／０１７５３９４号明細書、米国特許出願公開第２００４／０２５８４５３号明細書、米国特許第６  ３７５  ３７４号明細書、米国特許第６  ３２８  ４９５号明細書、米国特許第７  ４５５  ４６８号明細書に記載されるとおりであってもよい。
【０１９０】
しごき部材は場合によりフロック加工されてもよい。
【０１９１】
アプリケータ部材が締結されるステム７の少なくとも一部、特に全てが、特にアプリケータ部材の近傍において可撓性であってもよい。
【０１９２】
例としてステム７は、図２０ａに示されるとおり、例えばエラストマー製の少なくとも１つの可撓要素８０を含み得る。可撓要素は、可撓性を付与する形状、例えば図２０ｂに示されるとおり少なくとも１つの環状の溝８１を呈し得る。例として、可撓要素は欧州特許第１  ９１７  ８８３  Ａ２号明細書に記載されるとおりであり、少なくとも一部において、以下のリストからの材料で作製され得る：エラストマー材料；熱可塑材；熱可塑性エラストマー；低密度ポリエチレン（ＬＤＰＥ）；ＰＶＣ；ＰＵ；熱可塑性エラストマーポリエステル、特にエステル化ポリテトラメチレンオキシドグリコールとブテンテレフタレートとの共重合体；Ｈｙｔｒｅｌ（登録商標）；ＥＰＤＭ；プロピレン−ジエンターポリマー（ＰＤＭ）；ＥＶＡ；ＳＩＳ；ＳＥＢＳ；スチレン−ブタジエン−スチレン（ＳＢＳ）；ラテックス；シリコーンゴム；ニトリルゴム；ブチルゴム；ポリウレタン；ポリエーテルブロックアミド；ポリエステル；このリストは限定的なものではない。可撓要素８０は、例えば、ショアＡスケール（ＳｈＡ）で２５からショアＤスケール（ＳｈＤ）で８０の範囲、又はさらには４０ＳｈＡ〜７０ＳｈＤの範囲にある硬さを有する材料で作製されてもよい。ステムの剛性部分は、熱可塑性材料、特に以下のリストから選択される材料の一つで作製されてもよい：高密度ポリエチレン（ＨＤＰＥ）；ＬＤＰＥ；線状ＰＥ；多結晶（ＰＴ）；ＰＰ；ＰＯＭ；ＰＡ；ＰＥＴ；及びポリブチルテレフタレート（ＰＢＴ）；このリストは網羅的なものではない。
【０１９３】
アプリケータ部材のステム７との締結における可撓性もまた、アプリケータ部材８をステム７に締結するための締結エンドピース９の周りの、ステム７の端部とアプリケータ部材８の芯材１０との間に形成される間隙によって、例えばエンドピース９がステム７の対応するハウジング内に完全には押し込まれない結果として提供され得る。
【０１９４】
アプリケータ部材は、射出成形、二重射出成形、及びプロトルージョンなどの任意の公知の方法により作製されてもよく、プロトルージョンでは材料が芯材の少なくとも１つの部分を通じて射出され、それにより歯を形成することが可能となる。プロトルージョンにより得られるかかる歯を図２１に示す。
【０１９５】
装置１を使用するため、使用者は閉止キャップ５を回して開け、容器３からアプリケータ部材８を取り出す。
【０１９６】
アプリケータ部材８がしごき部材６を通過した後、列１７の間及び列の歯１８の間にいくらかの量の組成物が残る。
【０１９７】
使用者は、組成物を睫毛又は眉毛に塗布するための主面９０の１つ又は側面９２の１つを選択し得る。メーキャップを施している間、使用者はまた、メーキャップを施すために用いるこすり付ける動きを、それらの面のうち別の面を使用することによって変えるため、睫毛又は眉毛に対するアプリケータ部材の向きを変えてもよい。
【０１９８】
変形例では、使用者は、メーキャップを施すために用いる２つの異なるこすり付ける動きの間にそれらの面のいずれか一方を使用してもよく、それにより単一のアプリケータで２つの異なるメーキャップ効果を生じさせることが可能となる。
【０１９９】
当然ながら、本発明は上述の実施形態に限定されるものではなく、その特徴を、示されない変形例の範囲内で互いに組み合わせてもよい。
【０２００】
アプリケータ部材は、例えば国際公開第２００６／０９０３４３号パンフレットに記載されるとおり、振動部材であってもよく、すなわち塗布中、コーミング中、又は組成物を取っている間にアプリケータに振動が加えられてもよい。
【０２０１】
さらに変形例では、アプリケータ部材は回転式であってもよく、すなわち例えば塗布中、コーミング中、又は組成物を取っている間に芯材の長手軸を中心に回転してもよい。
【０２０２】
さらに変形例では、アプリケータ部材は熱を送り込んでもよく、すなわち睫毛又は眉毛、アプリケータ部材の歯及び／又は芯材の加熱を可能にする発熱素子を含んでもよい。
【０２０３】
また、アプリケータ部材が振動し、回転し、及び発熱すること、又は単に振動して回転すること、又は単に振動して発熱すること、又は単に回転して発熱すること、又は単に振動すること、又は単に回転すること、又は単に発熱することも可能である。
【０２０４】
アプリケータ部材は、任意の殺菌剤、例えば銀塩、銅塩；防腐剤；及び組成物を保存するための少なくとも１つの薬剤、例えばパラベン又は他の防腐剤を含んでもよい。
【０２０５】
芯材及び／又は歯は、粒子、例えば充填剤、特に磁性、静菌性、若しくは吸湿性の化合物、又はさらには歯の表面に粗さを作り出す化合物、若しくは歯に対する睫毛の滑りを促進する化合物をさらに含んでもよい。芯材及び歯の少なくとも一方はフロック加工されてもよく、任意の熱的処理又は機械的処理を受けてもよく、及び／又は特に滑りを改善するための、粒子、例えば充填剤を含んでもよい。
【０２０６】
反する旨を明示しない限り、表現「〜を含む」は、「少なくとも１つの〜を含む」と同義語として理解されなければならず、及び「〜の範囲にある」はその範囲の境界値を含むものとして解釈されなければならない。
【図１】
0005878923.tif 000003
【図２】
0005878923.tif 000004
【図３】
0005878923.tif 000005
【図４】
0005878923.tif 000006
【図５】
0005878923.tif 000007
【図５ａ】
0005878923.tif 000008
【図５ｂ】
0005878923.tif 000009
【図６ａ】
0005878923.tif 000010
【図６ｂ】
0005878923.tif 000011
【図６ｃ】
0005878923.tif 000012
【図６ｄ】
0005878923.tif 000013
【図６ｅ】
0005878923.tif 000014
【図６ｆ】
0005878923.tif 000015
【図６ｇ】
0005878923.tif 000016
【図６ｈ】
0005878923.tif 000017
【図６ｉ】
0005878923.tif 000018
【図７】
0005878923.tif 000019
【図７ａ】
0005878923.tif 000020
【図８】
0005878923.tif 000021
【図９】
0005878923.tif 000022
【図１０ａ】
0005878923.tif 000023
【図１０ｂ】
0005878923.tif 000024
【図１０ｃ】
0005878923.tif 000025
【図１０ｄ】
0005878923.tif 000026
【図１０ｅ】
0005878923.tif 000027
【図１０ｆ】
0005878923.tif 000028
【図１０ｇ】
0005878923.tif 000029
【図１０ｈ】
0005878923.tif 000030
【図１０ｉ】
0005878923.tif 000031
【図１０ｊ】
0005878923.tif 000032
【図１０ｋ】
0005878923.tif 000033
【図１０ｌ】
0005878923.tif 000034
【図１０ｍ】
0005878923.tif 000035
【図１０ｎ】
0005878923.tif 000036
【図１１】
0005878923.tif 000037
【図１２】
0005878923.tif 000038
【図１２ａ】
0005878923.tif 000039
【図１３】
0005878923.tif 000040
【図１４】
0005878923.tif 000041
【図１５ａ】
0005878923.tif 000042
【図１５ｂ】
0005878923.tif 000043
【図１５ｃ】
0005878923.tif 000044
【図１５ｄ】
0005878923.tif 000045
【図１５ｅ】
0005878923.tif 000046
【図１５ｆ】
0005878923.tif 000047
【図１５ｇ】
0005878923.tif 000048
【図１５ｈ】
0005878923.tif 000049
【図１５ｉ】
0005878923.tif 000050
【図１５ｊ】
0005878923.tif 000051
【図１６】
0005878923.tif 000052
【図１７】
0005878923.tif 000053
【図１８ａ】
0005878923.tif 000054
【図１８ｂ】
0005878923.tif 000055
【図１８ｃ】
0005878923.tif 000056
【図１９ａ】
0005878923.tif 000057
【図１９ｂ】
0005878923.tif 000058
【図１９ｃ】
0005878923.tif 000059
【図１９ｄ】
0005878923.tif 000060
【図１９ｅ】
0005878923.tif 000061
【図１９ｆ】
0005878923.tif 000062
【図２０ａ】
0005878923.tif 000063
【図２０ｂ】
0005878923.tif 000064
【図２０ｃ】
0005878923.tif 000065
【図２１】
0005878923.tif 000066